(57)【特許請求の範囲】
【請求項１】
上壁，前記上壁の端縁及び側縁からそれぞれ下方に延びる端壁及び側壁を有し、且つ、前記上壁に大径の確認穴およびツマミ部を有するホルダ本体と、
前記ホルダ本体内に設けられた軸保持筒部と、
取付軸部が前記軸保持筒部に嵌合保持され且つリムレスフレームの金具取付け用の穴のあいた玉型又はダミーレンズの穴のあいた玉型を保持する玉型保持具と、
前記軸保持筒部を前記玉型保持具の取付軸部に対して締め付け固定する締付部材と、を有する玉型ホルダを備えると共に、
前記玉型ホルダに保持された玉型の周縁形状を測定子で測定して玉型形状データを求める玉型形状測定装置において、
前記上壁には前記ホルダー本体の両側部まで達する径を有し且つ上壁を有する円形で筒状の膨出突部が設けられ、
前記膨出突部の上壁には前記確認穴が形成され、
前記ツマミ部は前記確認穴を横切るように且つ前記ホルダー本体の上壁に一体に細幅で設けられ、
前記確認穴は、前記締付部材で前記軸保持筒部を前記玉型保持具の取付軸部に対して締め付け固定した際に、前記軸保持筒部に保持させた前記玉型の穴を直視可能に設けられていることを特徴とする玉型形状測定装置。
【請求項２】
請求項１に記載の玉型形状測定装置において、前記上壁の前記確認穴の内縁には前記ホルダー本体内に突出するリブが形成されていることを特徴とする玉型形状測定装置。
【請求項３】
請求項１又は２に記載の玉型形状測定装置において、前記ツマミ部は、前記膨出突部の上壁の側壁側の部分からそれぞれ上方に突出する起立部と、前記起立部の上端部間を連設している連設部を有すると共に、前記軸保持筒部は前記連設部に一体に設けられ且つ前記確認穴を介して前記ホルダ本体内に突出する支持筒部の下端部に設けられていることを特徴とする玉型形状測定装置。
【請求項４】
請求項１〜３のいずれか一つに記載の玉型形状測定装置において、前記ホルダ本体の前記側壁の一方の長手方向の中央部には下方に開放する幅広の切欠が前記玉型を保持させる際の確認のために設けられていることを特徴とする玉型形状測定装置。
【発明の詳細な説明】
【技術分野】
【０００１】
この発明は、眼鏡フレーム枠の玉型形状やデモレンズや型板等の玉型の玉型形状を測定する玉型形状測定装置に関するものである。
【背景技術】
【０００２】
従来から、デモレンズ，型板等の玉型の形状測定時に、玉型を玉型ホルダに保持させるのに用いたり、眼鏡レンズの研削加工時にレンズ周縁加工装置の一対のレンズ回転軸間に保持させるのに用いる玉型保持具が知られている。
【０００３】
この玉型保持具としては、例えば細長い卵形のようなフランジを玉型取付部として軸部の一端に一体に設けたフランジタイプのものや、ゴム製のカップを玉型取付部として軸部の一端に一体に設けた玉型吸着治具（吸着カップ）等がある。
【０００４】
このフランジタイプの玉型保持具には、フランジに玉型を両面テープで貼り付けたりする貼付タイプの玉型保持具や、フランジに設けた位置決ピンを型板の位置決穴に嵌合すると共に型板の中心穴に挿通した固定ネジで型板をフランジに固定するネジ固定タイプの玉型保持具が知られている。尚、玉型吸着治具では、玉型をゴム製のカップに吸着させることで、玉型を軸部に保持させることができる。
【０００５】
ところで、玉型形状測定装置としては、玉型が保持された玉型保持部材の軸部を玉型ホルダの嵌合筒部に嵌合し、玉型を下方に位置させて玉型ホルダを装置にセットし、下方から測定子で玉型の周縁形状を測定することにより、眼鏡レンズの周縁加工のための玉型形状データ（玉型形状情報）を得るようにしたメガネ用玉型形状測定装置が知られている（例えば、特許文献１参照）。
【０００６】
また、従来、例えば玉型に玉型吸着治具を取り付け、玉型ホルダに設けた円形の締付部材で玉型ホルダの嵌合筒部を玉型吸着治具の軸部に対して締め付け、玉型吸着治具の玉型を下方に位置させて玉型ホルダを装置にセットし、下方から測定子で玉型の周縁形状を測定することにより、眼鏡レンズの周縁加工のための玉型形状データ（玉型形状情報）を得るようにしたフレームの玉型形状測定装置が知られている（例えば、特許文献２参照）。
【特許文献１】特許３６０２１７５号公報（図１０参照）
【特許文献２】特許３９８９５９３号公報（図６参照）
【発明の開示】
【発明が解決しようとする課題】
【０００７】
しかしながら、上述したメガネ用玉型形状測定装置では、玉型ホルダの嵌合筒部の締付け部材なしで、玉型を保持させた玉型保持具の軸部を玉型ホルダの嵌合筒部に嵌合した場合、玉型ホルダの嵌合筒部が下方に向けられているので、軸部の嵌合筒部への嵌合状態が緩いと、測定子を玉型の周縁に当接させて玉型形状を測定する際に、玉型保持具が玉型と共に玉型ホルダの嵌合筒部から外れてしまい、正確な玉型形状を測定することができない虞がある。
【０００８】
また、近年のリムレスフレームのような縦幅の狭いカニ目のような玉型（カニ目状玉型）では金具取付用の穴が設けられている。このような玉型を上述したメガネ用玉型形状測定装置で測定する場合において、カニ目のような玉型（カニ目状玉型）を通常の玉型保持具のフランジやカップ等の玉型取付部（玉型保持部）に取り付けた場合、玉型取付部に穴位置が隠れて、穴位置を正確に検出することができないこともある。
【０００９】
このように穴位置を正確に検出できない場合、玉型の穴位置データが無いために、この上述した玉型形状データに基づいて眼鏡レンズの周縁を研削加工装置により研削加工し、研削加工した眼鏡レンズの仕上げ加工後に、この眼鏡レンズに穴をあけようとするときに、間違った位置に穴をあけてしまう可能性があった。
【００１０】
更に、上述したフレームの玉型形状測定装置でも、玉型保持部材の締付け部材の形状は円形であるため、近年のリムレスフレームのように、縦幅の狭いカニ目のような玉型（カニ目状玉型）を玉型保持具に取り付けた場合、玉型の穴の位置が分からず、穴位置を正確に検出することができず、研削加工装置により仕上げ加工後のレンズに穴をあけようとするときに、間違った位置に穴をあけてしまう可能性があった。
【００１１】
そこで、この発明は、玉型ホルダに玉型を取り付ける際に、玉型の穴の位置を作業者が直視でき、穴位置を自動的に測定するための穴位置測定装置において穴位置検出を正確に行うことができる玉型形状測定装置を提供することを目的とするものである。
【課題を解決するための手段】
【００１２】
この目的を達成するため、この発明は、上壁，前記上壁の端縁及び側縁からそれぞれ下方に延びる端壁及び側壁を有し、且つ、前記上壁に大径の確認穴およびツマミ部を有するホルダ本体と、前記ホルダ本体内に設けられた軸保持筒部と、取付軸部が前記軸保持筒部に嵌合保持され且つリムレスフレームの金具取付け用の穴のあいた玉型又はダミーレンズの穴のあいた玉型を保持する玉型保持具と、前記軸保持筒部を前記玉型保持具の取付軸部に対して締め付け固定する締付部材と、を有する玉型ホルダを備えると共に、前記玉型ホルダに保持された玉型の周縁形状を測定子で測定して玉型形状データを求める玉型形状測定装置において、前記上壁には前記ホルダー本体の両側部まで達する径を有し且つ上壁を有する円形で筒状の膨出突部が設けられ、前記膨出突部の上壁には前記確認穴が形成され、
前記ツマミ部は前記確認穴を横切るように且つ前記ホルダー本体の上壁に一体に細幅で設けられ、前記確認穴は、前記締付部材で前記軸保持筒部を前記玉型保持具の取付軸部に対して締め付け固定した際に、前記軸保持筒部に保持させた前記玉型の穴を直視可能に設けられていることを特徴とする。
【発明の効果】
【００１３】
この構成によれば、玉型ホルダに玉型を取り付ける際に、玉型の穴の位置を作業者が直視でき、穴位置を自動的に測定するための穴位置測定装置において穴位置検出を正確に行うことができる。
【発明を実施するための最良の形態】
【００１４】
以下、この発明に係る玉型ホルダを備える玉型形状測定装置を図面に基づいて説明する。
[構成]
図２において、１はフレーム形状測定装置、２はフレーム形状測定装置１からの眼鏡枠形状データを基に被加工レンズを眼鏡レンズの形状に研削加工する玉摺機（レンズ周縁加工装置）である。
【００１５】
フレーム形状測定装置１は、図３に示した様に、上面１０ａの中央に開口１０ｂを有する測定装置本体１０と、測定装置本体１０の上面１０ａに設けられたスイッチ部１１を有する。このスイッチ部１１には、左右の測定モード切り換え用のモード切換スイッチ１２，測定開始用のスタートスイッチ１３，及びデータ転送用の転送スイッチ１４を有する。
【００１６】
また、フレーム形状測定装置１は、図３に示した様な眼鏡Ｍの眼鏡枠（メガネフレーム）ＭＦの左右のレンズ枠ＬＦ，ＲＦを保持する眼鏡枠（メガネフレーム）保持機構（保持手段）１５，１５´及び図１に示したような操作機構１６を有する。また、図３の枠保持機構１５，１５´は同じ構造であるので、この枠保持機構１５を図１を用いて説明し、枠保持機構１５′については説明を省略する。
【００１７】
尚、図１中、１７，１８は測定装置本体１０内の図示しないシャーシに上下に向けて固定され且つ互いに平行に設けられた支持枠、１９は支持枠１８の外面（支持枠１７とは反対側の面）に突設された係止ピン、２０は支持枠１８の上端部に設けられた円弧状スリット、２１，２２は支持枠１７，１８に設けられた取付孔である。この取付孔２１，２２は円弧状スリット２０と係止ピン１９との間に位置させられ、円弧状スリット２０は取付孔２１，２２と同心に設けられている。
（操作機構１６）
保持棒出入制御手段としての操作機構１６は、図１（ａ），図３に示すように支持枠１７，１８の取付孔２１，２２に回転自在に保持された操作軸２３と、操作軸２３の一端部（支持枠１８側の端部）に固定された従動ギヤ２４と、支持枠１８及び測定装置本体１０の正面１０ｃを貫通する回転軸２５と、回転軸２５の一端部に固定され（又は一体に設けられ）且つ従動ギヤ２４に噛合する駆動ギヤ２６と、回転軸２５の他端部に取り付けられた操作レバー２７を有する。図中、２３ａは操作軸２３に設けた偏平部で、この偏平部２３ａは操作軸２３の両端部近傍まで設けられている。
【００１８】
尚、図３に示したように、測定装置本体１０には上面１０ａ及び正面１０ｃに跨る凹部２８が形成され、この凹部２８の上面には円弧状の突部２９が形成され、上面１０ａには突部２９の左右に位置させて「開」，「閉」が付されている。そして、凹部２８の正面に上述した操作レバー２７が配設され、操作レバー２７の上端部に設けられた折曲部すなわち指示部２７ａが突部２９上を移動するようになっている。更に、図３に示したように上面１０ａには、枠保持機構１５，１５′間に位置して開口１０ｂに開放する切り欠き１０ｄが設けられている。
【００１９】
また、従動ギヤ２４と係止ピン１９との間には、枠保持（上述の「閉」に対応）及び枠保持解除（上述の「開」に対応）を行わせる２位置保持機構（２位置保持手段）３０が設けられている。
【００２０】
この２位置保持機構３０は、上述の円弧状スリット２０と、従動ギヤ２４の側面に突設され且つ円弧状スリット２０を貫通する可動ピン３１と、可動ピン３１と係止ピン１９との間に介装されたスプリング（引っ張りコイルバネ）３２を有する。この円弧状スリット２０は、上述の様に取付孔２１，２２と同心となっているので、従動ギヤ２４，操作軸２３とも同心となっている。この為に、可動ピン３１は、スプリング３２の引張力により円弧状スリット２０の両端部２０ａ，２０ｂのいずれか一方に保持されることになる。
【００２１】
更に、操作機構１６は、操作軸２３に長手方向に移動可能に且つ周方向には僅かに相対回転可能に保持された一対の筒軸３３，３３を有する。この筒軸３３内の切円状挿通孔３３ａの偏平部３３ｂと操作軸２３の偏平部２３ａとの間には図１(b)，(c)に示した様に僅かな間隙Ｓが形成されている。この筒軸３３，３３には自己の弾性力により伸縮可能な弾性部を有する紐状体３４（図１(a)では一方のみを図示）がそれぞれ取り付けられている。この紐状体３４は、筒軸３３に一端部が固定されたスプリング（弾性部）３５と、スプリング３５の他端部に連設されたワイヤ３６を有する。
（枠保持機構１５，１５´）
枠保持機構１５は、水平方向に移動可能に且つ互いに相対接近・離反可能に測定装置本体１０内に保持された一対の可動枠３７，３７（スライダ）を有する。この各可動枠３７は、水平板部３８と、この水平板部３８の一端部に上下に向けて連設された鉛直板部３９からＬ字状に形成されている。そして、鉛直板部３９には筒軸３３が回転自在に且つ軸方向には移動不能に保持されている。
【００２２】
また、枠保持機構１５は、図４に示した様に可動枠３７，３７の水平板部３８，３８間に介装された引っ張りコイルスプリング４０と、水平板部３８の先端縁部の中央に固定された支持板４１と、支持板４１の水平板部３８上方に突出する部分と鉛直板部３９との間に配設されたツメ取付板４２を有する。このツメ取付板４２は、一側部４２ａの軸状の支持突部４２ｃを中心に回動可能に支持板４１と鉛直部３９に保持されている。尚、ツメ取付板４２の後部側の軸状の支持突部の図示は省略してある。
【００２３】
このツメ取付板４２の他側部４２ｂの先端には軸状で先細りテーパ状の保持ツメ４３が第１の保持棒として突設され、ツメ取付板４２の他側部の後端部には第２の保持棒としての軸状の保持ツメ４４の後端部が支持軸４５で回動可能に保持されている。この保持ツメ４４は、基部４４ａが図１（ｄ）に示した様に方形板状に形成され且つ先端部が先細りテーパ状に形成されていると共に、支持軸４５を中心に回動して、保持ツメ４３に対して相対接近・離反するようになっている。しかも、保持ツメ４４の先端部とツメ取付板４２とは、支持軸４５に捲回した図示しないトーションスプリングで常時開く方向にバネ付勢されている。
【００２４】
更に、鉛直板部３９には、保持ツメ４４の上方に位置させて、操作機構１６と協働するＬ字状の係合ツメ４６（保持棒出没手段の一部）が突設されている。この係合ツメ４６の先端部の下方に延びるエッジ状爪部４６ａは保持ツメ４４に係合させられている。これにより、ツメ保持板４２の他側部４２ｂが一側部４２ａを中心に上方に回動させられると、保持ツメ４３，４４の間隔がトーションスプリング（図示せず）のバネ力に抗して狭められる様になっている。なお、図１（ｄ）に示すように、係合ツメ４６のエッジ状爪部４６ａは、保持ツメ４４の略中央部に係合する。また、係合ツメ４６と筒軸３３との間には、鉛直板部３９に回転自在に保持させたアイドルプーリ４７が配設されている。このアイドルプーリ４７には上述したワイヤ３６が支持され、ワイヤ３６の端部が両側部４２ａ，４２ｂ間の略中央に位置されツメ取付板４２に固定されている。
【００２５】
また、各可動枠３７，３７は対向部側が図４に示したフレームガイド部材４８でカバーされている。このフレームガイド部材４８は、水平板部３８の先端に固定された鉛直板部４８ａと、鉛直板部３９の上端に固定された水平板部４８ｂと、板部４８ａ，４８ｂが連設するコーナに連設され且つ水平板部４８ｂ側に傾斜する傾斜ガイド板部４８ｃを有する。そして、鉛直板部４８ａには保持ツメ４３，４４に対応して開口４８ｄが形成され、保持ツメ４４は開口４８ｄから突出させられている。また、保持ツメ４３の先端部は、保持ツメ４４，４３が図４(a)，(b)の如く最大に開いている状態では、開口４８ｄ内に位置するようになっている。
【００２６】
なお、各可動枠３７，３７に設けたフレームガイド部材４８，４８の鉛直板部４８ａ，４８ａは、互いに平行に設けられて対向する面を保持面として有する。この一対の鉛直板部４８ａ，４８ａの保持面同士は、可動枠３７，３７の相対接近・離反に伴って、相対接近・離反させられる。
【００２７】
また、フレーム形状測定装置１は、眼鏡枠ＭＦのリム即ち眼鏡枠ＭＦのレンズ枠ＬＦ（ＲＦ）の形状測定を行う形状測定手段を有する。この形状測定手段は、レンズ枠用のフィーラー５０を眼鏡枠Ｆのヤゲン溝５１に沿って移動させることにより、レンズ枠用のフィーラー５０の移動位置を角度θiに対する動径ρiとして、即ち極座標形式のレンズ形状情報（θi，ρi）として求めることができるようになっている。この構造には周知のものを採用できるので、その詳細な説明は省略する。
【００２８】
更に、玉摺機２は、図２に示した様に、被加工レンズの周縁を研削加工する加工部６０（詳細図示略）を有する。この加工部６０には、キャリッジの一対のレンズ回転軸間に被加工レンズを保持させて、このレンズ回転軸の回動とキャリッジの上下回動を上述のレンズ形状情報（θi，ρi）に基づいて制御し、被加工レンズの周縁を回転する研削砥石で研削加工するものである。この構造は、周知であるのでその詳細な説明は省略する。
＜玉型ホルダ１００＞
また、図５（ａ）〜（ｃ）は下方に解放する玉型ホルダ（玉型保持部材）１００を示したものである。
【００２９】
この玉型ホルダ１００は、図５，図６に示したように左右に細長く形成されたホルダ本体１０１を有する。このホルダ本体１０１は、図６に示したように、上壁１０２と、上壁１０２の長手方向両端の端縁から下方に延びる端壁１０３，１０４と、上壁１０２の幅方向の側縁から下方に延びる側壁１０５，１０６を有する。これにより、玉型ホルダ１００のホルダ本体１０１は下方に開放している。
（ホルダ保持構造）
また、ホルダ本体１０１には、上述した保持爪４４を挿入させるための挿入穴１０７，１０７が図６に示したように各側壁１０５，１０６と上壁１０２とに跨ってそれぞれ一対形成されている。各側壁１０５，１０６の挿入穴１０７，１０７は長手方向に間隔をおいて設けられている。しかも、図９に示したように側壁１０５，１０６の下縁部には挿入穴１０７，１０７に対応して下方に開放するＶ字状の切欠１０８，１０８が形成されている（図６参照）。そして、玉型ホルダ１００を図１１のごとくフレームガイド部材４８，４８間(a),(b),(c)の順に挿入したときに、図６，図９の切欠１０８，１０８は、保持爪４３，４３に系合させられるようになっている。そして、この位置では、保持爪４４が挿入穴１０７から玉型ホルダ１００内に挿入され、玉型ホルダ１００を保持爪４３，４４（保持棒）間で保持するようになっている。
【００３０】
更に、図５，図９に示したように、側壁１０５には長手方向の中央部及び挿入穴１０７，１０７間に位置して外方に突出する位置決め用の膨出突部１０９が形成されている。この膨出突部１０９は、図３に示した測定装置本体１０の上面１０ａに形成した切り欠き１０ｄに係合して、玉型ホルダ１００の取付向きの位置決めをするようになっている。この切り欠き１０ｄは、上述したように開口１０ｂに開放しているとともに、図３中後ろ側のフレームガイド部材４８，４８間に対応して設けられている。
【００３１】
また、側壁１０６には、図６に示したように長手方向の中央部及び挿入穴１０７，１０７間に位置して下方に開放する幅広の切欠１１０が形成されている。この切欠１１０は、玉型Ｔを保持させる際の確認のために用いられる。
（玉型保持構造）
また、上壁１０２の略中央部には円形で筒状の膨出突部１１１が形成され、この膨出突部１１１の上端には環状でフランジ状の上壁１１１ａが形成され、この上壁１１１ａの内側には取り付け状態（締め付け状態）を確認するための大径の確認穴１１２が形成されている。この確認穴１１２には図５に示したように、一部を外側に徐々に拡径させた拡径部１１２ａが形成され、拡径部１１２ａの拡径端には中心方向に向かう段部１１２ｂが形成されている。
【００３２】
また、上壁１１１ａの内縁には図９に示したようにホルダ本体１０１内に突出するリブ１１１ｃが形成され、このリブ１１１ｃにはストッパ部１１１ｄが形成されている。
【００３３】
更に、図６に示したように上壁１１１ａ上には、上方に突出し且つホルダ本体１０１の幅方向に延びる細幅のツマミ部１１３が形成されている。このツマミ部１１３は、上壁１１１ａの側壁１０５，１０６側の部分からそれぞれ上方に突出する起立部１１３ａ，１１３ｂと、起立部１１３ａ，１１３ｂの上端部間を連設している連設部１１３ｃから正面形状が逆Ｕ字状に形成されている。
【００３４】
この連設部１１３ｃの長手方向の中央部には、円形穴１１４が形成されている。また、連設部１１３ｃは、起立部１１３ａ，１１３ｂとそれぞれ一体の支持部１１３ｃ１，１１３ｃ２と、支持部１１３ｃ１，１１３ｃ２に連設され且つ円形穴１１４に沿って円弧状に延びる支持部１１３ｃ３，１１３ｃ３を有する。
【００３５】
尚、図５（ａ）に示したように、連設部１１３ｃの幅方向の中心線Ｏは円形で筒状の膨出突部１１１の中心Ｏ１を通るように配置されている。また、起立部１１３ａ，１１３ｂ及び連設部１１３ｃの支持部１１３ｃ１，１１３ｃ２は断面形状がコ字状に形成されている。
【００３６】
また、連設部１１３ｃの中央部には、図７，図８に示したように、円形穴１１４に沿って円形に形成され且つ下方に延びてホルダ本体１０１内に突出する支持筒部１１５が一体に形成されている。
【００３７】
この支持筒部１１５は、上下方向の中間部に設けた大径筒部１１５ａと、この大径筒部１１５ａの下端に連設された小径筒部１１５ｂを有する。この大径筒部１１５ａの外周面には図８に示したように雄ネジ筒部１１６が形成されている。
【００３８】
また、小径筒部１１５ｂの底部１１５ｃには、小径筒部１１５ｂに連設された軸保持筒部１１５ｄが一体に形成されている。この底部１１５ｃの下面には、直径方向で且つホルダ本体１０１の幅方向に延びるリブ状の位置決突部１１７が一体に形成されている。尚、軸保持筒部１１５ｄには下端まで延びる切欠スリット（図示せず）が形成されている。
【００３９】
更に、玉型ホルダ１００は締付部材１１８を有する。この締付部材１１８は、図６，図１０に示したように、支持筒部１１５と同芯の筒状部１１９と、筒状部１１９に設けられた一対の操作部１２０，１２０を有する。
【００４０】
しかも、筒状部１１９は、図７，図８に示したように、上端部に設けられた大径の操作筒部１１９ａと、この操作筒部１１９ａの下端に連設された中径の雌ネジ筒部１１９ｂと、この雌ネジ筒部１１９ｂの下端に連設された小径の筒部１１９ｃと、筒部１１９ｃの下端に設けられ且つ中心側に突出するフランジ１１９ｄを有する。そして、雌ネジ筒部１１９ｂは支持筒部１１５の雄ネジ筒部１１６に螺着されている。
【００４１】
また、一対の操作部１２０，１２０は、図１０に示したように、操作筒部１１９ａの互いに反対側の部分に一体に設けられている。この操作部１２０は、下方から見た形状がコ字状の突出操作部１２０ａと、この突出操作部１２０ａの周方向端壁に一体に設けられた三角形状の板状突部１２０ｂとを有する。尚、操作部１２０は、突出操作部１２０ａと板状突部１２０ｂとから平面形状が蝶の羽根形状に形成されている。しかも、一対の操作部１２０，１２０の一方には図６の如くネジ穴１２０ｃが形成されていて、このネジ穴１２０ｃにはストッパとしてのネジＳが図９の如く螺着されている。
【００４２】
更に、支持筒部１１５の小径筒部１１５ｂ及び軸保持筒部１１５ｄと締付部材１１８の筒部１１９ｃとの間には筒状押圧部材１２１が配設されている。この筒状押圧部材１２１は、筒部１１９ｃの内周面に回転可能に嵌合された嵌合筒部１２１ａと、嵌合筒部１２１ａの下方に設けられた押圧筒部１２１ｂを有する。この押圧筒部１２１ｂは、内周面が下端に向かうに従って中心側に徐々に湾曲させられている。これにより、押圧筒部１２１ｂには、嵌合筒部１２１ａに連設された薄肉のヒンジ部１２１ｂ１と、下端部に設けられた厚肉の押圧部１２１ｂ２が形成されている。
【００４３】
また、押圧筒部１２１ｂの下端部外周面には大きなＲ状の係合部１２１ｃが形成され、この係合部１２１ｃの上下方向の中間部にフランジ１１９ｄの内縁部が係合させられている。
【００４４】
更に、玉型ホルダ１００は、図６〜図８に示したような玉型保持具（玉型取付治具）１２２を有する。この玉型保持具１２２は、取付軸部１２３と、取付軸部１２３に一体に設けられたフランジ状のレンズ保持部１２４を有する。そして、取付軸部１２３には、図８に示したように位置決突部１１７に係合する位置決スリット１２３ａが形成されている。また、レンズ保持部１２４には玉型Ｔが両面テープ１２５で保持されている。
【００４５】
尚、本実施例では、玉型Ｔをレンズ保持部１２４に両面テープ１２５で保持させる玉型保持具１２２を示したが、これに限定されるものではない。例えば、レンズ保持部１２４をゴム製でカップ状の吸着カップに代えた玉型吸着治具を玉型保持具としても良い。また、位置決スリット１２３ａの代わりに位置決溝を設けた構成でも良い。
[作用]
次に、この様な構成の眼鏡フレームの玉型形状測定装置の作用を説明する。
【００４６】
この様な構成において、締付開始前の初期位置では、締付部材１１８のフランジ１１９ｄが筒状押圧部材１２１のＲ状の係合部１２１ｃに図８の如く上下方向の略中央に係合していて、筒状押圧部材１２１が支持筒部１１５の軸保持筒部１１５ｄを締め付けない状態になっている。
【００４７】
そして、この状態では、図９の如く、締付部材１１８の一対の操作部１２０，１２０の周面をホルダ本体１０１の幅方向に向けると共に、操作部１２０，１２０の幅方向の中心線Ｏ２がホルダ本体１０１の側壁１０５，１０６と略垂直になるように設定しておく。
【００４８】
尚、位置決突部１１７の向きはホルダ本体１０１の幅方向に延びている。
【００４９】
ところで、玉型Ｔとしては、図５，図９等に示したように、リムレスフレームの金具取付用の穴ｈ１〜ｈ３を有する型板やダミーレンズ等がある。この玉型Ｔを玉型保持具１２２のレンズ保持部１２４に両面テープ１２５で保持させる場合、穴ｈ１〜ｈ３が置決スリット１２３ａの延びる方向に略位置するようにする。
【００５０】
そして、この玉型保持具１２２の取付軸部１２３の位置決スリット１２３ａがホルダ本体１０１の幅方向に向くようにした状態で、取付軸部１２３を切欠１１０から視認しながら支持筒部１１５の軸保持筒部１１５ｄに嵌合する。この際、取付軸部１２３を軸線周りに微小に往復回動させながら軸保持筒部１１５ｄに嵌合することで、取付軸部１２３の位置決スリット１２３ａに軸保持筒部１１５ｄ内の位置決突部１１７を嵌合させる。
【００５１】
この状態でも、取付軸部１２３は軸保持筒部１１５ｄに軽く圧入した状態となっているので、ホルダ本体１０１の開放端を下方に向けても、取付軸部１２３が軸保持筒部１１５ｄから抜け外れることはない。
【００５２】
また、この状態では、図５（ａ）のようにホルダ本体１０１を上から見たときに、型板Ｔの金具取付用の穴ｈ１〜ｈ３を確認穴１１２から確認することができる。
【００５３】
この状態から、締付部材１１８の一対の操作部１２０，１２０を図５（ｂ）の如く確認穴１１２を介して回動操作して、締付部材１１８の操作部１２０，１２０を図５（ｃ）の如く１８０°回転操作すると、ストッパとしてのネジＳがストッパ１１１ｄに当接する。この回転操作により、締付部材１１８は雌ネジ筒部１１９ｂと雄ネジ筒部１１６の作用により、図８中上方に移動させられる。
【００５４】
この移動に伴い、締付部材１１８のフランジ１１９ｄが筒状押圧部材１２１のＲ状の係合部１２１ｃに沿って上昇して、フランジ１１９ｄが係合部１２１ｃを筒状押圧部材１２１の中心側に押圧変移させる。この際、筒状押圧部材１２１の押圧部１２１ｂが軸保持筒部１１５ｄを押圧して、軸保持筒部１１５ｄで取付軸部１２３を締め付けさせる。
【００５５】
尚、締付部材１１８の操作部１２０，１２０を図５（ｃ）の如く１８０°回転操作した状態でも、型板Ｔの金具取付用の穴ｈ１〜ｈ３を確認穴１１２から確認することができる。また、ネジＳは、締付部材１１８を回転操作しても、フランジ１１１ｃに当たらない位置に配置することで、１８０°の回転操作を可能とできる。この場合には、ネジＳに代えて突起（ストッパ突部）をストッパとして設けることもできる。
【００５６】
そして、この玉型ホルダ１００を図１１のごとく用いた場合には、図示しない玉型ホルダ検知手段が検知して検知信号を図示しない演算制御回路に入力し、演算制御回路（演算手段）はレンズ枠用のフィラー５０の代わりに型板用フィラー（測定子）を型板Ｔの周面（周縁）に当接させて、型板Ｔの形状測定を行うようになっている。この型板用フィラーの構造は特開平１０−１５６６８５号と同じ周知のものを採用しているので、詳細な説明は省略する。なお、このような自動検知によらず、特開平４−１２２１５号と同じ周知の手動で起倒れるタイプの型板用フィラーを採用することもできる。
【００５７】
更に、ネジＳをフランジ１１１ｃの拡径部１１２ａの内側に配設した場合には、締付部材１１８の操作部１２０，１２０を図１２〜図１４に示したように、９０°の範囲で回動（回転）させることができる。尚、上述した操作部１２０の板状突部１２０ｂは図１２〜図１４の如く省略しても良い。
【００５８】
また、この様な構成において、フレームガイド部材４８，４８の傾斜ガイド板部４８ｃ，４８ｃは、上端に向うにしたがって互いに開く方向に傾斜している。従って、眼鏡（メガネ）の眼鏡枠（メガネフレーム）ＭＦを図４(a)の如く傾斜ガイド板部４８ｃ，４８ｃ間に配設して、眼鏡枠ＭＦをコイルスプリング４０のバネ力に抗して上から押し下げると、傾斜ガイド板部４８ｃ，４８ｃのガイド作用により、フレームガイド部材４８，４８の間隔すなわち可動枠（スライダ）３７，３７の間隔が広げられて、眼鏡枠ＭＦのリム即ち眼鏡枠ＭＦのレンズ枠ＬＦ（ＲＦ）が保持ツメ４３，４３上まで移動させられて保持ツメ４３，４３に係止される。
【００５９】
この様な状態において、操作レバー２７を「開」位置から「閉」位置に回動操作すると、この回動が回転軸２５，ギヤ２６，２４，操作軸２３を介して筒軸３３に伝達されてスプリング３５の一部が筒軸３３に捲回されることにより、スプリング３５に連設されたワイヤ３６を介してツメ取付板４２が一側部４２ａを中心に上方に回動させられ、保持ツメ４３，４４の間隔が図４(c)の如く狭められて、眼鏡枠ＭＦのリム即ち眼鏡枠ＭＦのレンズ枠ＬＦ（ＲＦ）が図４(c)の如く保持ツメ４３，４４間に保持される。この位置では、可動ピン３１が円弧状スリット２０下端部２０ａにスプリング３２のバネ力により保持されることになる。
【００６０】
尚、眼鏡枠ＭＦのリム即ち眼鏡枠ＭＦのレンズ枠ＬＦ（ＲＦ）を保持ツメ４３，４４間から取り外す場合には、操作レバー２７を上述とは逆に操作することにより、各部材が上述とは逆に動作する。
【００６１】
以上説明したように、リムレスフレームの玉型の二次元形状、又は、スポーツ用ダミーレンズにおける穴位置を検出する際に、玉型をフレーム保持機構部へセットする取り付け部材において、玉型を保持する為にネジ機構を用いて締め付けていく部材が、締め付け完了した際に締付部材１１８の形状が、穴位置を正確に直視できるような形状になっている。
【００６２】
以上説明したように、この発明の実施の形態の玉型形状測定装置は、玉型ホルダ１００に保持された玉型Ｔの周縁形状を測定子で測定して玉型形状データを求めるようになっている。しかも、前記玉型ホルダ１００は、リムレスフレームの金具取付け用の穴のあいた玉型又はダミーレンズの穴のあいた玉型を保持する玉型保持具１２２と、下方に開放するホルダ本体１０１と、前記ホルダ本体１０１内に設けられ且つ前記玉型保持具１２２の取付軸部１２３を嵌合保持させる軸保持筒部１１５ｄと、前記軸保持筒部１１５ｄを前記玉型保持具１２２の取付軸部１２３に対して締め付け固定する締付部材１１８とを有する。また、該締付部材１１８で前記軸保持筒部１１５ｄを前記玉型保持具１２２の取付軸部１２３に対して締め付け固定した際に、前記玉型Ｔの穴ｈ１〜ｈ３を直視させるための所定形状の確認穴１１２が前記ホルダ本体１０１に設けられている。
【００６３】
この構成によれば、玉型ホルダ１００に玉型Ｔを取り付ける際に、玉型Ｔの穴ｈ１〜ｈ３の位置を作業者が直視でき、穴位置を自動的に測定するための穴位置測定装置において穴位置検出を正確に行うことができる。
【００６４】
また、この発明の実施の形態の玉型形状測定装置の前記締付部材１１８は、把持可能な蝶形を有する。この構成によれば、締付部材１１８は、蝶のような形状を有し、２つの扇形を、頂点を向かい合わせて、くっつけたような形をしていて、作業者がその蝶形状の扇部分を把持することで、締付け動作の際に把持しやすく、作業者の手にぴったりフィットする。尚、締め付けた際に、扇部分が玉型の穴を覆わないように、ネジ部分を調整しておくと良い。
【図面の簡単な説明】
【００６５】
【図１】この発明にかかる眼鏡フレームの玉型形状測定装置の説明図、(b)，(c)は(a)の筒軸と操作軸との関係を説明するための断面図、(d)は保持ツメの説明図である。
【図２】図１に示した眼鏡フレームの玉型形状測定装置と玉摺機との関係を示す説明図である。
【図３】図２に示したフレーム形状測定装置の拡大斜視図である。
【図４】(a)〜(c)は図１に示したフレーム形状測定装置の眼鏡枠保持の動作説明図である。
【図５】(a)〜(c)はこの発明に係る玉型ホルダを平面視した説明図である。
【図６】図６の玉型ホルダの分解斜視図である。
【図７】図５（ａ）のＡ１−Ａ１線に沿う玉型ホルダの断面図である。
【図８】図７の玉型ホルダの要部拡大図である。
【図９】図７の玉型ホルダを下方から見た説明図である。
【図１０】図６の締付部材を別の角度から見た斜視図である。
【図１１】(a)〜(c)は図６に示した玉型ホルダを用いて図１に示したフレーム形状測定装置により型板の玉型形状を測定するときの動作説明図である。
【図１２】（ａ）はこの発明に係る玉型ホルダの変形例を示す平面図、（ｂ）は（ａ）の玉型ホルダを下方から見た説明図である。
【図１３】（ａ）は図１２の玉型ホルダの作用説明図、（ｂ）は（ａ）の玉型ホルダを下方から見た作用説明図である。
【図１４】（ａ）は図１２の玉型ホルダの作用説明図、（ｂ）は（ａ）の玉型ホルダを下方から見た作用説明図である。
【符号の説明】
【００６６】
１００・・・玉型ホルダ
Ｔ・・・玉型
１０１・・・ホルダ本体
１１２・・・確認穴
１１５ｄ・・・軸保持筒部
１１８・・・締付部材
１２２・・・玉型保持具
１２３・・・取付軸部
ｈ１〜ｈ３・・・穴
【図１】
0005238322.tif 000002
【図２】
0005238322.tif 000003
【図３】
0005238322.tif 000004
【図４】
0005238322.tif 000005
【図５】
0005238322.tif 000006
【図６】
0005238322.tif 000007
【図７】
0005238322.tif 000008
【図８】
0005238322.tif 000009
【図９】
0005238322.tif 000010
【図１０】
0005238322.tif 000011
【図１１】
0005238322.tif 000012
【図１２】
0005238322.tif 000013
【図１３】
0005238322.tif 000014
【図１４】
0005238322.tif 000015